(57)【要約】【課題】  通常、覗き窓を、ステープル収容フレームの側面に穿設しているステープラーにおいて、ステープルを使い切ってから補充しようとするとき、覗き窓からは、ステープルの最終残余本数１本が目視できないので、空打ちをしてから、補充をすることが多いので、ステープルの最終１本を覗き窓から間接的に確実に認識できる機構を提供する。【解決手段】  覗き窓を穿設しているステープラーにおいて、覗き窓から見えるプッシャー側面に垂直指示目印４を印し、その垂直指示目印の指示する覗き窓の周辺部の該当位置に、０印の目盛５を印し、その目盛より周辺部後端に向け、装填ステープルの本数を示す目盛６と数字を印すことにより、使用中、プッシャーの垂直指示目印が指示する覗き窓の目盛の値が、常に、装填ステープルの残余本数を表しているので、空打ちをすることなく、ステープルを補充するための装填ステープル最終１本を確実に認識できる機構である。【選択図】図１
2009012161.tif 000002
【特許請求の範囲】
【請求項１】
ステープル収容フレームの側面に、プッシャーの側面が見える覗き窓を穿設したステープラーにおいて、
覗き窓から見えるプッシャーの側面に、垂直指示目印（４）を印し、その垂直指示目印と、上下で合致する、覗き窓の周辺部の該当位置に、０印を印した目盛（５）を印し、０印の目盛（５）より覗き窓の周辺部後方に向け、装填ステープルの本数を示す目盛（６）を順次印し、まとめの本数分毎に、その本数分の数字を付記し、覗き窓の周辺部の後端近くまで、目盛を印し、プッシャーの垂直指示目印（４）とステープル収容フレーム側面の覗き窓の周辺部に印した目盛（６）との相互動作関係による装填ステープルの最終残余本数の確認機構。
【請求項２】
前記プッシャーの側面の垂直指示目印（４）の代りに、垂直指示目印の位置を着色の境目（７）として、プッシャー側面の後方部分に、プッシャー材質と異なる着色を施したことを特徴とする請求の範囲第１項に記載する装填ステープルの最終残余本数の確認機構。
【発明の詳細な説明】
【技術分野】
【０００１】  この発明は、ステープラーのステープル収容フレームに装填されているステープルの残余本数、特に最終１本を確実に認識できる機構に関するものである。
【背景技術】
【０００２】  通常、覗き窓を、ステープル収容フレーム側面の最前端部分を避けた前方部分に穿設しているステープラーにおいては、使用中、覗き窓から、装填ステープルの残余本数を目視し、途中でステープルを補充する場合があるが、ステープルを使い切って補充しようとするときは、覗き窓からステープルが見えなくなり、プッシャーのみ現れた状態になっており、残余本数は推量で判断しているので，空打ちを行った時点で、残余本数０本を認識し、ステープルの補充を行うのが大部分である。（例えば、実用新案文献１参照。）。【０００３】  また、装填ステープル残余本数０本を、直接、目視確認できるよう、覗き窓をステープル収容フレーム側面の最前端部近くまで穿設しているステープラーがある。（例えば、実用新案文献２、３、特許文献１参照。）。【０００４】  また、装填ステープルを直接、目視することなく、装填ステープル残余本数を確認するために、プッシャーの側面に突起物を設け、ステープル収容フレーム側面より外側えの露出目印とし、その露出目印が摺動する範囲の細長い覗き窓をステープル収容フレームの側面に穿設し、覗き窓に目盛を印し、その目盛と露出目印との相互動作関係から残余本数を認識するステープラーもある。（例えば、実用新案文献４，５参照。）。【０００５】  また、装填ステープルを直接、目視することなく、装填ステープルの残余本数０本を確認するために、ステープル収容フレームの側面の覗き窓周辺部に目印を印し、プッシャー側面にも目印を印し、装填ステープルが０本になったとき、両目印が合致するようにしたステープラーもある。（例えば、実用新案文献６参照。）。【０００６】
【実用新案文献１】
公開実用新案公報  昭６２−８１５７７
【実用新案文献２】
実用新案公報      昭３６−２１２０４
【実用新案文献３】
公開実用新案公報  昭６２−５８１７４
【特許文献１】  公開特許公報      昭５３−１１９４８１
【実用新案文献４】
実用新案公報      昭３７−１０４０９
【実用新案文献５】
公開実用新案公報  昭６２−８１５７９
【実用新案文献６】
実用新案公報      昭３６−３１６０５
【発明の開示】
【発明が解決しようとする課題】
【０００７】  以上、述べた従来のステープラーには、次のような欠点がある。【０００８】  通常、覗き窓を、ステープル収容フレーム側面の前方部分に穿設しているステープラーは、ステープル収容フレームの最前端部と覗き窓の先端部との間には間隔があるので、ステープラーを使用中、装填ステープルの残余本数が僅少になると、装填ステープルはその間隔内に入り外部からは見えず、残余本数は推量で判断することになり、したがって装填ステープルの最終１本の目視確認は出来ず、装填ステープル残余本数０本は、空打ちを行って認識するのである。【０００９】  装填ステープルの最終１本を直接、目視にて確認できるようにしたステープラーの覗き窓の形は、ステープル収容フレームの側面の最前端部近くまで覗き窓を穿設しているので、ステープル収容フレームの前端部分の強度に問題が生じる。【００１０】  プッシャー側面に設けた突起物を、ステープル収容フレーム側面の覗き窓からの露出目印とし、ステープル収容フレーム側面を摺動させる、装填ステープル残余本数認識機構を装備したステープラーは、ステープル収容フレーム側面に、覗き窓を細長く広範囲に穿設されるのでステープル収容フレームの強度に問題が生ずる。【００１１】  装填ステープルを直視することなく、プッシャー側面の目印とステープル収容フレームの覗き窓周辺の目印との合致より、装填ステープル０本を示す機構を装備したステープラーは、装填ステープルの残余本数減少の途中経過が不明確で、装填ステープルの最終残余本数１本を的確に把握することが困難である。【００１２】  本発明は、以上のような欠点を補うために、なされたものである。
【課題を解決するための手段】
【００１３】  本発明は、上記問題点を解消するため、ステープル収容フレームの側面に、プッシャーの側面が見える覗き窓を穿設したステープラーにおいて、
覗き窓から見えるプッシャーの側面に、垂直指示目印を印し、その垂直指示目印と、上下で合致する、覗き窓の周辺部の該当位置に、０印を印した目盛を印し、０印の目盛より覗き窓の周辺部後方に向け、装填ステープルの本数を示す目盛を順次印し、まとめの本数分毎に、その本数分の数字を付記し、覗き窓の周辺部の後端近くまで、目盛を印し、プッシャーの垂直指示目印とステープル収容フレーム側面の覗き窓の周辺部に印した目盛との相互動作関係を目視して、装填ステープルの最終残余本数の確認をするものである。【００１４】  第２の課題解決手段は、前記プッシャーの側面の垂直指示目印の代りに、垂直指示目印の位置を着色の境目として、プッシャー側面の後方部分に、プッシャー材質と異なる着色を施し、着色の境目を垂直指示目印の代わりとし、覗き窓の周辺部に印した目盛との相互動作関係を目視して、装填ステープルの最終残余本数の確認をするものである。
【発明の効果】
【００１５】  上述したように、本発明の装填ステープル最終残余本数の確認機構は、覗き窓を、ステープル収容フレーム側面の最前端部分を避けた前方部分に穿設しているステープラーに装備され、プッシャー側面に印した垂直指示目印が指示する覗き窓周辺部の目盛の値が、装填ステープルの残余本数を表しており、ステープラーを使用する時、装填ステープルの残余本数、特に最終１本は確実に認識できるので、装填ステープルを使い切ったとき、空打ちすることなく、的確に、ステープルを補充することができる機構である。
【発明を実施するための最良の形態】
【００１６】  以下、本発明の実施の形態を図面に基ずいて説明する。【００１７】  図１は、本発明の機構を装備したステープラーの側面図で、ステープル収容フレーム１に穿設された覗き窓２より見える、プッシャー側面３に、垂直指示目印４を印し、その垂直指示目印４と上下で合致する覗き窓２の周辺部の該当位置に、０印を印した目盛５を印し、０印の目盛５より周辺部後方に向け、装填ステープルの本数を示す位置に、順次目盛６を印し、まとめの本数５本分の目盛のところに５印を付記し、１０本分の目盛のところに１０印を付記し、２０本分の目盛のところに２０印を付記して、覗き窓２の周辺部の後端近くまで目盛を印している。【００１８】  図２は、図１における、ステープル収容フレーム１についてのＡ−Ａ線断面拡大斜視図であり、プッシャーの垂直指示目印４と覗き窓２の周辺部の０印の目盛５との合致により、装填ステープル０本を認識できる。【００１９】  図３は、図１における、ステープル収容フレーム１にステープル５本を装填しているステープラーの側面図であり、プッシャーの垂直指示目印４が、覗き窓２の周辺部の５印の目盛と上下で合致した状態を表している。【００２０】  図４は、図３における、ステープル収容フレーム１についてのＢ−Ｂ線断面拡大斜視図であり、装填ステープルを直接見る必要はなく、プッシャーの垂直指示目印４と、覗き窓２の周辺部の５本分の目盛とが、上下で合致した相互動作関係より、ステープルが５本装填されていることが、認識されるのである。【００２１】  図５は、図４における、プッシャー側面に印する垂直指示目印４の代りに、垂直指示目印４の位置を、着色の境目７とし、プッシャー側面の後端部にかけて、プッシャー材質と異なる着色８を施し、着色の境目７と覗き窓周辺部の目盛６との相互動作関係を示したＢ−Ｂ線断面拡大斜視図である。
【実施例１】
【００２２】  図２において、覗き窓２の周辺部の目盛６の部分の厚さ９を薄くして、目盛６と垂直指示目印４とをできるだけ接近させ、上記、相互動作関係の認識を行いやすくする。
【実施例２】
【００２３】  図６は、卓上型ステープラーのステープル収容マガジンユニット１０に、覗き窓２を穿設し、本発明の機構を装備した卓上型ステープラーの側面図であり、覗き窓２の周辺部の目盛１１は、装填ステープル偶数本数単位の目盛１１としている。
【実施例３】
【００２４】  図７は、ステープル・タッカーのステープル収容マガジンユニット１２に、覗き窓２を穿設し、本発明の機構を装備したステープル・タッカ−の側面図である。
【図面の簡単な説明】
【００２５】
【図１】  本発明の装填ステープル最終残余本数確認機構をステープル収容フレーム側面に装備したステープラーの側面図。
【図２】  図１のステープル収容フレームのＡ−Ａ線断面拡大斜視図。
【図３】  図１に、ステープル５本を装填した状態のステープラーの側面図。
【図４】  図３のステープル収容フレームのＢ−Ｂ線断面拡大斜視図。
【図５】  図４のプッシャーの垂直指示目印の代りを、着色の境目とし、プッシャー側面に着色を施したＢ−Ｂ線断面拡大斜視図。
【図６】  本発明の機構を装備した卓上型ステープラーの側面図。
【図７】  本発明の機構を装備したステープル・タッカーの側面図。
【符号の説明】
【００２６】    １    ステープル収容フレーム
２    覗き窓
３    プッシャー側面
４    垂直指示目印
５    ０印の目盛
６    目盛
７    着色の境目
８    着色部分
９    目盛部分の厚さ
１０  卓上型ステープラーのステープル収容マガジンユニット
１１  装填ステープル偶数本数目盛
１２  ステープル・タッカーのステープル収容マガジンユニット
【図１】
2009012161.tif 000003
【図２】
2009012161.tif 000004
【図３】
2009012161.tif 000005
【図４】
2009012161.tif 000006
【図５】
2009012161.tif 000007
【図６】
2009012161.tif 000008
【図７】
2009012161.tif 000009